(57)【要約】【課題】製版装置において、孔版原紙の搬送速度を所望の速度に調整する。【解決手段】製版装置１は、孔版原紙Ｓを搬送するプラテンローラ１０と、このプラテンローラ１０との間で孔版原紙Ｓに感熱穿孔を施すサーマルヘッド２０と、プラテンローラ１０によって搬送される孔版原紙Ｓに接触することで回転する第１の粘着ローラ３１と、この第１の粘着ローラ３１の回転速度ｖ１を検出する第１の回転速度検出部（第１のエンコーダ７１及びエンコーダ板７２）と、この第１の回転速度検出部が検出した検出結果（第１の粘着ローラ３１の回転速度ｖ１）に基づき、プラテンローラ１０の回転速度ｖ０を調整する制御部と、を備える。【選択図】図１
2018187773.tif 000002
【特許請求の範囲】
【請求項１】
孔版原紙を搬送するプラテンローラと、
前記プラテンローラとの間で前記孔版原紙に感熱穿孔を施すサーマルヘッドと、
前記プラテンローラによって搬送される前記孔版原紙に接触することで回転する第１の粘着ローラと、
前記第１の粘着ローラの回転速度を検出する第１の回転速度検出部と、
前記第１の回転速度検出部が検出した検出結果に基づき、前記プラテンローラの回転速度を調整する制御部と、
を備えることを特徴とする製版装置。
【請求項２】
前記第１の粘着ローラに接触することで回転し、当該第１の粘着ローラに付着した付着物を除去する第２の粘着ローラと、
前記第２の粘着ローラの回転速度を検出する第２の回転速度検出部と、
ユーザへの報知を行う報知部と、
を更に備え、
前記制御部は、前記第１の粘着ローラの回転速度と前記第２の粘着ローラの回転速度とを比較し、前記第２の粘着ローラによる前記付着物の除去機能の劣化状況に関するユーザへの報知を前記報知部に行わせる、
ことを特徴とする請求項１記載の製版装置。
【請求項３】
前記第１の粘着ローラへの接触後の前記孔版原紙を前記第１の粘着ローラから分離させる分離部材を更に備えることを特徴とする請求項１又は２記載の製版装置。
【請求項４】
前記孔版原紙は、当該孔版原紙の幅方向の中央に位置し前記感熱穿孔が施される穿孔領域と、前記幅方向の両端に位置する非穿孔領域と、を有し、
前記第１の粘着ローラは、外周面の少なくとも一部に粘着領域を有し、
前記粘着領域は、前記穿孔領域と前記非穿孔領域とのうち前記非穿孔領域のみに対向する、
ことを特徴とする請求項１から３のいずれか１項記載の製版装置。
【発明の詳細な説明】
【技術分野】
【０００１】
本発明は、孔版原紙に感熱穿孔を施す製版装置に関する。
【背景技術】
【０００２】
孔版印刷機の製版装置において、サーマルヘッドは、ロール状の孔版原紙であるマスタロールから引き出された孔版原紙に対し、プラテンローラとの間で挟持した状態で感熱穿孔を施す。
【０００３】
このような製版装置において、プラテンローラの温度変化によって外径が変化することに伴う孔版原紙の送り量の変化、ひいては孔版原紙に形成される画像の伸縮を解消するために、孔版原紙の搬送に伴って連れ回りする検出ローラと、この検出ローラの回転量に基づきプラテンローラの回転速度を調整する制御部と、を備える製版装置が提案されている（例えば、特許文献１参照）。
【先行技術文献】
【特許文献】
【０００４】
【特許文献１】特開２００１−１４８５号公報
【発明の概要】
【発明が解決しようとする課題】
【０００５】
ところで、孔版原紙は、例えば、フィルムや和紙を有するため、マスタロールに対し巻き付けられた状態で隣接する部分間に貼り付きが生じうる。そこで、孔版原紙には剥離剤が塗布される。
【０００６】
上述の検出ローラを備える製版装置においては、剥離剤等の付着物が孔版原紙からプラテンローラ及び検出ローラに付着することで、プラテンローラ及び検出ローラが孔版原紙に対して滑る状態となる場合がある。この場合、孔版原紙との間で摩擦力を生じさせる検出ローラを用いても、孔版原紙の正確な搬送量を検出することができなくなる。そのため、孔版原紙の搬送速度を所望の速度にすることができない。
【０００７】
本発明の目的は、孔版原紙の搬送速度を所望の速度に調整することができる製版装置を提供することである。
【課題を解決するための手段】
【０００８】
１つの態様では、製版装置は、孔版原紙を搬送するプラテンローラと、前記プラテンローラとの間で前記孔版原紙に感熱穿孔を施すサーマルヘッドと、前記プラテンローラによって搬送される前記孔版原紙に接触することで回転する第１の粘着ローラと、前記第１の粘着ローラの回転速度を検出する第１の回転速度検出部と、前記第１の回転速度検出部が検出した検出結果に基づき、前記プラテンローラの回転速度を調整する制御部と、を備える。
【発明の効果】
【０００９】
前記態様によれば、孔版原紙の搬送速度を所望の速度に調整することができる。
【図面の簡単な説明】
【００１０】
【図１】一実施の形態に係る製版装置を示す構成図である。
【図２】一実施の形態に係る製版装置の制御ブロック図である。
【図３】図１をＢ方向から見た図である。
【図４】一実施の形態におけるプラテンローラの回転速度の調整処理を説明するためのフローチャートである。
【発明を実施するための形態】
【００１１】
以下、本発明の実施の形態に係る製版装置について、図面を参照しながら説明する。
【００１２】
図１は、一実施の形態に係る製版装置１を示す構成図である。
図２は、製版装置１の制御ブロック図である。
【００１３】
製版装置１は、プラテンローラ１０と、サーマルヘッド２０と、第１の粘着ローラ３１と、制御部４１（図２参照）と、第１のエンコーダ７１と、エンコーダ板７２と、を備える。また、製版装置１は、第２の粘着ローラ３２と、分離部材５０と、駆動モータ６１と、動力伝達ベルト６２と、第２のエンコーダ８１及びエンコーダ板８２と、を備えるとよい。更には、図２に示すように、製版装置１は、ＲＯＭ（Read only memory）４２と、ＲＡＭ（Random Access Memory）４３と、モータ駆動回路４４と、ヘッド駆動回路４５と、報知部９０と、を備えるとよい。
【００１４】
プラテンローラ１０は、回転速度ｖ０で回転することにより、サーマルヘッド２０との間で挟持する孔版原紙Ｓを、マスタロールＲから引き出しながら搬送する。プラテンローラ１０の回転軸１０ａと、駆動モータ６１の出力軸６１ａとには、動力伝達ベルト６２が架け渡されている。プラテンローラ１０は、駆動モータ６１からの動力を伝達されるため、駆動ローラとして機能する。
【００１５】
プラテンローラ１０は、例えば、孔版原紙Ｓに塗布された剥離剤などがプラテンローラ１０に付着することで、孔版原紙Ｓに対して滑ることがある。そのため、実際の孔版原紙Ｓの搬送速度は、プラテンローラ１０の回転速度ｖ０よりも遅くなることがある。なお、上記の剥離剤が孔版原紙Ｓに塗布されるのは、孔版原紙Ｓが、例えばフィルムや紙を有するため、マスタロールＲに対し巻き付けられた状態で隣接する部分間に貼り付きが生じるのを防止するためである。
【００１６】
サーマルヘッド２０は、プラテンローラ１０との間で孔版原紙Ｓに感熱穿孔を施す。この感熱穿孔は、例えば、図２に示す制御部４１の制御に基づくヘッド駆動回路４５の駆動制御によって、サーマルヘッド２０の主走査方向に配列された複数の発熱素子が選択的に発熱することで行われる。なお、感熱穿孔が施された孔版原紙Ｓは、図示しないカッタで１版分ずつ切り出された後、製版装置１を備える孔版印刷機内の印刷部に搬送される。
【００１７】
第１の粘着ローラ３１は、プラテンローラ１０によって搬送される孔版原紙Ｓに接触することで回転する。このように、第１の粘着ローラ３１は、従動ローラとして機能する。第１の粘着ローラ３１は、孔版原紙Ｓの搬送速度と同一速度で回転するように、第１の粘着ローラ３１と孔版原紙Ｓとが互いに滑らない程度に、粘着性を有し且つ回転負荷が少ないことが望ましい。
【００１８】
図３（図１をＢ方向から見た図）に示すように、第１の粘着ローラ３１は、外周面の一部に粘着領域Ａ３を有する。この粘着領域Ａ３は、図３の例では、２箇所のそれぞれで帯状に形成されている。第１の粘着ローラ３１は、外周面のうち粘着領域Ａ３以外の領域に、粘着力を有さない非粘着領域Ａ４を有する。一例ではあるが、粘着領域Ａ３は、ウレタン系粘着剤を含むシートが第１の粘着ローラ３１の外周面を１周するように貼り付けられることにより形成されている。なお、第１の粘着ローラ３１の外周面の全部が粘着領域Ａ３であってもよいが、孔版原紙Ｓにシワが生じやすくなったり、或いは、孔版原紙Ｓとの剥離性が悪化したりするため、外周面の一部のみに粘着領域Ａ３を有することが望ましい。
【００１９】
図３に二点鎖線（想像線）で示す孔版原紙Ｓは、この孔版原紙Ｓの幅方向Ｗの中央に位置し上記の感熱穿孔が施される穿孔領域Ａ１と、幅方向Ｗの両端に位置する非穿孔領域Ａ２と、を有する。そして、第１の粘着ローラ３１の粘着領域Ａ３は、穿孔領域Ａ１と非穿孔領域Ａ２とのうち非穿孔領域Ａ２のみに対向する。これは、粘着領域Ａ３の粘着剤が穿孔領域Ａ１に付着しないようにするためである。なお、孔版原紙Ｓの幅方向Ｗは、孔版原紙Ｓの搬送方向Ｔと厚み方向とに直交する方向である。また、非穿孔領域Ａ２には、孔版原紙Ｓの情報などを表す補助的な感熱穿孔が施されていてもよく、幅方向Ｗの中央に位置する穿孔領域Ａ１を除く領域であれば、非穿孔領域であることとする。
【００２０】
本実施の形態では、第１の粘着ローラ３１が単一のローラであるが、例えば外周面が粘着領域Ａ３のみからなる複数の第１の粘着ローラ３１が同軸上に間隔を隔てて配列されていてもよい。この場合にも、複数の第１の粘着ローラ３１の粘着領域Ａ３は、孔版原紙Ｓの穿孔領域Ａ１と非穿孔領域Ａ２とのうち非穿孔領域Ａ２のみに対向するとよい。
【００２１】
第１の粘着ローラ３１は、例えば、マスタロールＲとプラテンローラ１０との間に配置されるが、マスタロールＲ側を上流側とした場合のプラテンローラ１０の下流側に配置されていてもよい。また、第１の粘着ローラ３１は、マスタロールＲとプラテンローラ１０との間において、マスタロールＲからの孔版原紙Ｓの引き出し位置とサーマルヘッド２０による感熱穿孔位置とに孔版原紙Ｓが真直ぐに搬送されるのではなく、孔版原紙Ｓの搬送方向Ｔが第１の粘着ローラ３１において変わるように位置するとよい。これにより、第１の粘着ローラ３１と孔版原紙Ｓとの接触面積を増やすことができるため、第１の粘着ローラ３１の孔版原紙Ｓに対する滑りを防止することができる。
【００２２】
第２の粘着ローラ３２は、第１の粘着ローラ３１に接触することで回転し、この第１の粘着ローラ３１（粘着領域Ａ３）に付着した付着物を除去する。そのため、第２の粘着ローラ３２も、第１の粘着ローラ３１と同様に、従動ローラとして機能する。第２の粘着ローラ３２は、第１の粘着ローラ３１の表面から除去した付着物がたまると、第１の粘着ローラ３１が第２の粘着ローラ３２に対して滑ることで、回転速度ｖ２が第１の粘着ローラ３１の回転速度ｖ１よりも遅くなることがある。第２の粘着ローラ３２は、例えば外周面の全体が粘着領域であるが、少なくとも粘着領域Ａ３に接触する部分が粘着領域であるとよい。なお、第１の粘着ローラ３１に付着した付着物をスクレーパなどによって除去することができる場合には、第２の粘着ローラ３２、第２のエンコーダ８１、及びエンコーダ板８２を省略することも可能ではあるが、第２の粘着ローラ３２、第２のエンコーダ８１、及びエンコーダ板８２が配置されることが望ましい。
【００２３】
なお、第１の粘着ローラ３１の直径と第２の粘着ローラ３２の直径とが同一である場合、後述する第１のエンコーダ７１及び第２のエンコーダ８１が検出する回転速度ｖ１，ｖ２を、直径比を計算せずに比較することができる。
【００２４】
図２に示す制御部４１は、例えば、製版装置１全体の動作を制御する演算処理装置として機能するプロセッサ（例えばＣＰＵ： Central Processing Unit）を有する。制御部４１は、製版装置１用の制御プログラムを読み出して実行する。
【００２５】
制御部４１は、第１のエンコーダ７１によって検出された第１の粘着ローラ３１の回転速度ｖ１に基づき、モータ駆動回路４４を介して駆動モータ６１を制御することにより、プラテンローラ１０の回転速度ｖ０を調整する。詳しくは後述するが、制御部４１は、第１の粘着ローラ３１の回転速度ｖ１が閾値以下である場合に、回転速度ｖ０を上げることで、孔版原紙Ｓの搬送速度を所望の速度に近づける。上記の閾値は、孔版原紙Ｓの所望の搬送速度又はそれ以下に設定される。
【００２６】
また、制御部４１は、第１の粘着ローラ３１の回転速度ｖ１と第２の粘着ローラ３２の回転速度ｖ２とを比較することにより、第２の粘着ローラ３２による付着物の除去機能の劣化状況を判定する。そして、制御部４１は、予め定められた劣化状況（例えば、第１の粘着ローラ３１の回転速度ｖ１と第２の粘着ローラ３２の回転速度ｖ２との比率や差）で、報知部９０にユーザへの第２の粘着ローラ３２の洗浄や交換の報知を行わせる。報知部９０は、例えば、製版装置１を備える孔版印刷機に設けられ表示内容によってユーザへの報知を行う表示部であってもよいし、或いは、音声出力によってユーザへの報知を行う音声出力部であってもよく、特に制限されない。
【００２７】
図２に示すＲＯＭ４２は、例えば、所定の基本制御プログラムが予め記録されている読み出し専用半導体メモリである。なお、ＲＯＭ４２として、フラッシュメモリ等の、電力供給の停止に対して記憶データが不揮発性であるメモリを使用してもよい。
【００２８】
ＲＡＭ４３は、例えば、制御部４１が各種の制御プログラムを実行する際に必要に応じて作業用記憶領域として使用される随時書き込み読み出し可能な半導体メモリである。
【００２９】
モータ駆動回路４４は、制御部４１から出力される制御信号によって、駆動モータ６１の駆動制御を行う。
【００３０】
ヘッド駆動回路４５は、制御部４１から出力される印刷データに基づき、サーマルヘッド２０の複数の発熱素子への駆動制御（通電制御）を行うことにより、複数の発熱素子を選択的に発熱させる。
【００３１】
図１及び図３に示す分離部材５０は、孔版原紙Ｓを第１の粘着ローラ３１から分離させる。分離部材５０は、例えば、プラテンローラ１０の下流側においてプラテンローラ１０の近傍に位置することによって、第１の粘着ローラ３１への接触後の孔版原紙Ｓを第１の粘着ローラ３１から引き離すようにガイドする。分離部材５０の位置は、第１の粘着ローラ３１から遠ざかるほど孔版原紙Ｓが第１の粘着ローラ３１に貼り付きやすくなる。そのため、分離部材５０は、孔版原紙Ｓの厚み方向において、孔版原紙Ｓと第１の粘着ローラ３１との間に位置するとよい。分離部材５０の形状は、図１及び図３に示すように円柱形状であるが、多角柱形状やその他の形状であってもよく、特に制限されない。分離部材５０の長さは、例えば、孔版原紙Ｓの幅方向Ｗの幅と同一以上であるとよい。
【００３２】
図１に示すように、駆動モータ６１は、出力軸６１ａから動力伝達ベルト６２を介してプラテンローラ１０に伝達される動力を発生させる。
【００３３】
第１のエンコーダ７１は、第１の粘着ローラ３１と同軸上で回転するエンコーダ板７２を用いて第１の粘着ローラ３１の回転速度ｖ１を検出する。第２のエンコーダ８１は、第２の粘着ローラ３２と同軸上で回転するエンコーダ板８２を用いて第２の粘着ローラ３２の回転速度ｖ２を検出する。
【００３４】
なお、第１のエンコーダ７１及びエンコーダ板７２は、第１の粘着ローラ３１の回転速度ｖ１を検出する第１の回転速度検出部の一例であり、第２のエンコーダ８１及びエンコーダ板８２は、第２の粘着ローラ３２の回転速度ｖ２を検出する第２の回転速度検出部の一例である。第１の回転速度検出部としては、第１の粘着ローラ３１の回転速度ｖ１を検出可能なものであれば第１のエンコーダ７１及びエンコーダ板７２を用いたものに限られない。また、第２の回転速度検出部としては、第２の粘着ローラ３２の回転速度ｖ２を検出可能なものであれば第２のエンコーダ８１及びエンコーダ板８２を用いたものに限られない。
【００３５】
図４は、プラテンローラ１０の回転速度ｖ０の調整処理を説明するためのフローチャートである。
【００３６】
図４に示す各処理（ステップＳ１〜Ｓ７）は、制御部４１によって行われる。上述の説明と重複する事項については適宜説明を省略する。
【００３７】
まず、制御部４１は、第１の粘着ローラ３１の回転速度ｖ１を第１のエンコーダ７１から継続的に取得するとともに、第２の粘着ローラ３２の回転速度ｖ２をエンコーダ板７２から継続的に取得する（ステップＳ１）。
【００３８】
次に、制御部４１は、回転速度ｖ１及び回転速度ｖ２が一定であるか、すなわち、時間あたりの変動量が所定の値よりも大きいか否かを判定する（ステップＳ２）。なお、第１の粘着ローラ３１が孔版原紙Ｓ或いは第２の粘着ローラ３２に対して滑っていると、回転速度ｖ１，ｖ２が変動する。
【００３９】
制御部４１は、回転速度ｖ１，ｖ２が一定でないと判定すると（ステップＳ２：ＮＯ）、回転速度ｖ１が回転速度ｖ２よりも速いか否かを判定する（ステップＳ３）。この判定は、第２の粘着ローラ３２に付着物がたまると、第１の粘着ローラ３１が第２の粘着ローラ３２に対して滑ることで、回転速度ｖ２が回転速度ｖ１よりも遅くなるため、第２の粘着ローラ３２による第１の粘着ローラ３１の付着物の除去機能の劣化状況を判定するものである。なお、制御部４１は、ステップＳ３の判定処理において、第１の粘着ローラ３１の第２の粘着ローラ３２に対するわずかな滑りを無視するために、回転速度ｖ１が所定の差以上回転速度ｖ２よりも速いか否かを判定してもよい。
【００４０】
制御部４１は、回転速度ｖ１が回転速度ｖ２よりも速いと判定すると（ステップＳ３：ＹＥＳ）、ユーザへの第２の粘着ローラ３２の洗浄や交換の報知（例えば表示或いは音声出力）を報知部９０に行わせる（ステップＳ４）。
【００４１】
制御部４１は、回転速度ｖ１，ｖ２が一定であると判定した場合（ステップＳ２：ＹＥＳ）、及び、回転速度ｖ１が回転速度ｖ２よりも速くないと判定した場合（ステップＳ３：ＮＯ）、回転速度ｖ１が閾値よりも大きいか、すなわち許容範囲の速度を有しているかを判定する（ステップＳ５）。この閾値は、上記のとおり、孔版原紙Ｓの所望の搬送速度又はそれ以下に設定される。なお、第２の粘着ローラ３２は、第１の粘着ローラ３１と接触することにより回転するため、第２の粘着ローラ３２が第１の粘着ローラ３１に対して滑らない限り、第２の粘着ローラ３２の回転速度ｖ２が第１の粘着ローラ３１の回転速度ｖ１よりも速くなることはない。そのため、上記の「回転速度ｖ１が回転速度ｖ２よりも速くない」場合（ステップＳ３：ＮＯ）は、主に、回転速度ｖ１が回転速度ｖ２と同一である場合である。
【００４２】
制御部４１は、第１の粘着ローラ３１の回転速度ｖ１が閾値よりも大きいと判定すると（ステップＳ５：ＹＥＳ）、プラテンローラ１０の回転速度ｖ０、すなわち駆動モータ６１の回転速度を維持する（ステップＳ６）。一方、制御部４１は、回転速度ｖ１が閾値以下と判定すると（ステップＳ５：ＮＯ）、プラテンローラ１０の回転速度ｖ０、すなわち駆動モータ６１の回転速度を上げる（ステップＳ７）。この回転速度ｖ０を上げる量は、プラテンローラ１０の回転速度ｖ０と第１の粘着ローラ３１の回転速度ｖ１との比率に基づき、第１の粘着ローラ３１の回転速度ｖ１が所望の孔版原紙Ｓの搬送速度に近づくように調整するとよい。
【００４３】
なお、図４に示す各処理（ステップＳ１〜Ｓ７）は、孔版原紙Ｓの搬送中に繰り返し行われることが望ましく、例えば、ユーザへの報知処理（ステップＳ４）及びプラテンローラ１０の回転速度ｖ０の調整処理（ステップＳ６，Ｓ７）の後、再び、回転速度ｖ１，ｖ２の取得処理（Ｓ１）から繰り返されるとよい。
【００４４】
以上説明した本実施の形態では、製版装置１は、孔版原紙Ｓを搬送するプラテンローラ１０と、このプラテンローラ１０との間で孔版原紙Ｓに感熱穿孔を施すサーマルヘッド２０と、プラテンローラ１０によって搬送される孔版原紙Ｓに接触することで回転する第１の粘着ローラ３１と、この第１の粘着ローラ３１の回転速度ｖ１を検出する第１の回転速度検出部の一例である第１のエンコーダ７１及びエンコーダ板７２と、第１のエンコーダ７１が検出した検出結果である第１の粘着ローラ３１の回転速度ｖ１に基づき、プラテンローラ１０の回転速度ｖ０を調整する制御部４１と、を備える。
【００４５】
上記の構成では、第１の粘着ローラ３１が、プラテンローラ１０によって搬送される孔版原紙Ｓに接触することで回転するため、第１の粘着ローラ３１の粘着性によって、第１の粘着ローラ３１に付着物が付着しても、第１の粘着ローラ３１が孔版原紙Ｓに対して滑りにくくなる。そのため、第１の粘着ローラ３１の回転速度ｖ１を検出し、この第１の粘着ローラ３１の回転速度ｖ１に基づき、プラテンローラ１０の回転速度ｖ０を調整することで、孔版原紙Ｓの搬送速度を所望の速度に調整することができる。また、このように孔版原紙Ｓの搬送速度を所望の速度に調整することができることによって、サーマルヘッド２０が孔版原紙Ｓに施す感熱穿孔が孔版原紙Ｓの搬送方向Ｔにおいて伸縮するのを防止することもできる。
【００４６】
また、本実施の形態では、製版装置１は、第２の粘着ローラ３２と、第２の回転速度検出部の一例である第２のエンコーダ８１及びエンコーダ板８２と、報知部９０と、を更に備える。第２の粘着ローラ３２は、第１の粘着ローラ３１に接触することで回転し、第１の粘着ローラ３１に付着した付着物を除去する。第２のエンコーダ８１及びエンコーダ板８２は、第２の粘着ローラ３２の回転速度ｖ２を検出する。報知部９０は、ユーザへの報知を行う。制御部４１は、第１の粘着ローラ３１の回転速度ｖ１と第２の粘着ローラ３２の回転速度ｖ２とを比較し、第２の粘着ローラ３２による付着物の除去機能の劣化状況に関するユーザへの報知を報知部９０に行わせる。そのため、第２の粘着ローラ３２が第１の粘着ローラ３１に付着した剥離剤等の付着物を除去することで、第１の粘着ローラ３１が孔版原紙Ｓに対して滑るのをより確実に防ぐことができる。したがって、より確実に、孔版原紙Ｓの搬送速度を所望の速度に調整することができる。更には、第２の粘着ローラ３２の回転速度ｖ２を検出し第１の粘着ローラ３１の回転速度ｖ１と比較することにより、第２の粘着ローラ３２による付着物の除去機能の劣化状況を判定することができるため、ユーザへの第２の粘着ローラ３２の洗浄や交換の報知を行うこともできる。
【００４７】
また、本実施の形態では、製版装置１は、第１の粘着ローラ３１への接触後の孔版原紙Ｓを第１の粘着ローラ３１から分離させる分離部材５０を更に備える。そのため、第１の粘着ローラ３１の粘着性によって孔版原紙Ｓが第１の粘着ローラ３１に巻き込まれるのを防止することができる。
【００４８】
また、本実施の形態では、孔版原紙Ｓは、この孔版原紙Ｓの幅方向Ｗの中央に位置し感熱穿孔が施される穿孔領域Ａ１と、幅方向Ｗの両端に位置する非穿孔領域Ａ２と、を有し、第１の粘着ローラ３１は、外周面の少なくとも一部に粘着領域Ａ３を有し、粘着領域Ａ３は、穿孔領域Ａ１とＡ２非穿孔領域とのうち非穿孔領域Ａ２のみに対向する。そのため、粘着領域Ａ３の粘着剤が穿孔領域Ａ１に付着するのを防止することができる。
【００４９】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせてもよい。このような、発明の趣旨を逸脱しない範囲内において種々の変形や応用が可能であることはもちろんである。以下に、本願の出願当初の特許請求の範囲に記載された発明を付記する。
【００５０】
［付記１］
孔版原紙を搬送するプラテンローラと、
前記プラテンローラとの間で前記孔版原紙に感熱穿孔を施すサーマルヘッドと、
前記プラテンローラによって搬送される前記孔版原紙に接触することで回転する第１の粘着ローラと、
前記第１の粘着ローラの回転速度を検出する第１の回転速度検出部と、
前記第１の回転速度検出部が検出した検出結果に基づき、前記プラテンローラの回転速度を調整する制御部と、
を備えることを特徴とする製版装置。
【００５１】
［付記２］
前記第１の粘着ローラに接触することで回転し、当該第１の粘着ローラに付着した付着物を除去する第２の粘着ローラと、
前記第２の粘着ローラの回転速度を検出する第２の回転速度検出部と、
ユーザへの報知を行う報知部と、
を更に備え、
前記制御部は、前記第１の粘着ローラの回転速度と前記第２の粘着ローラの回転速度とを比較し、前記第２の粘着ローラによる前記付着物の除去機能の劣化状況に関するユーザへの報知を前記報知部に行わせる、
ことを特徴とする付記１記載の製版装置。
【００５２】
［付記３］
前記第１の粘着ローラへの接触後の前記孔版原紙を前記第１の粘着ローラから分離させる分離部材を更に備えることを特徴とする付記１又は２記載の製版装置。
【００５３】
［付記４］
前記孔版原紙は、当該孔版原紙の幅方向の中央に位置し前記感熱穿孔が施される穿孔領域と、前記幅方向の両端に位置する非穿孔領域と、を有し、
前記第１の粘着ローラは、外周面の少なくとも一部に粘着領域を有し、
前記粘着領域は、前記穿孔領域と前記非穿孔領域とのうち前記非穿孔領域のみに対向する、
ことを特徴とする付記１から３のいずれか記載の製版装置。
【符号の説明】
【００５４】
１      製版装置
１０      プラテンローラ
１０ａ      回転軸
２０      サーマルヘッド
３１      第１の粘着ローラ
３２      第２の粘着ローラ
４１      制御部
４２      ＲＯＭ
４３      ＲＡＭ
４４      モータ駆動回路
４５      ヘッド駆動回路
５０      分離部材
６１      駆動モータ
６１ａ      出力軸
６２      動力伝達ベルト
７１      第１のエンコーダ
７２      エンコーダ板
８１      第２のエンコーダ
８２      エンコーダ板
９０      報知部
Ａ１      穿孔領域
Ａ２      非穿孔領域
Ａ３      粘着領域
Ａ４      非粘着領域
Ｒ      マスタロール
Ｓ      孔版原紙
Ｔ      孔版原紙Ｓの搬送方向
ｖ０      プラテンローラ１０の回転速度
ｖ１      第１の粘着ローラ３１の回転速度
ｖ２      第２の粘着ローラ３２の回転速度
Ｗ      孔版原紙Ｓの幅方向
【図１】
2018187773.tif 000003
【図２】
2018187773.tif 000004
【図３】
2018187773.tif 000005
【図４】
2018187773.tif 000006